(57)【要約】【課題】メモリ性液晶を用いた液晶表示装置における焼き付きを防止できるようにする。【解決手段】所望の画像を書き込むときには、画像データに基づいて各画素をフォーカルコニック状態またはプレナー状態に遷移させる。所望の画像を書き込んで所定の期間が経過したときには、画像データをＮＯＴ素子で変換し、変換後のデータに基づいて画像を書き込む。このとき、フォーカルコニック状態であった画素はプレナー状態に遷移し、プレナー状態であった画素はフォーカルコニック状態に遷移する。その後、所定の期間が経過すると、再び画像データに基づいて所望の画像を書き込む。以降、同様の動作を繰り返す。【選択図】　図１
2004004200.tif 000002
【特許請求の範囲】
【請求項１】
メモリ性液晶がオン表示状態またはオフ表示状態になることによって画像を表示する液晶表示装置の駆動方法であって、
所望の画像を液晶表示装置に表示させてから第一の所定時間が経過したときに、オン表示状態であったメモリ性液晶をオフ表示状態に遷移させ、オフ表示状態であったメモリ性液晶をオン表示状態に遷移させることによって、オン表示とオフ表示とを反転させるステップと、
オン表示とオフ表示とを反転させてから第二の所定時間が経過したときに、前記所望の画像を液晶表示装置に表示させるステップとを繰り返す
ことを特徴とする液晶表示装置の駆動方法。
【請求項２】
複数の走査電極と複数の信号電極との間にメモリ性液晶を挟持する液晶表示装置の駆動装置であって、
各走査電極を順次選択しながら選択行の走査電極および非選択行の走査電極の電位を設定する走査電極ドライバと、
選択行の各画素をオン表示とすべきかオフ表示とすべきかを示す画像データに基づいて各信号電極の電位を設定する信号電極ドライバと、
走査電極ドライバおよび信号電極ドライバにそれぞれ各走査電極の電位と各信号電極の電位を設定させることにより液晶表示装置に画像を表示させる制御部とを備え、
制御部は、前記画像データに基づく画像を表示させてから第一の所定の時間が経過したときに、前記画像とはオン表示とオフ表示とが反転する反転画像を表示させ、前記反転画像を表示させてから第二の所定の時間が経過したときに、前記画像データに基づく画像を表示させることを繰り返す
ことを特徴とする液晶表示装置の駆動装置。
【請求項３】
信号電極ドライバは、反転画像を表示する場合に、オン表示とオフ表示とが反転するように画像データを変換し、変換後の画像データに基づいて各信号電極の電位を設定する請求項２に記載の液晶表示装置の駆動装置。
【発明の詳細な説明】
【０００１】
【発明の属する技術分野】
本発明は、メモリ性液晶を備えた液晶表示装置に適用される液晶表示装置の駆動方法および液晶表示装置の駆動装置に関する。
【０００２】
【従来の技術】
現在、ＴＮ、ＳＴＮ等の液晶を備えた液晶表示装置が広く使用されている。これらの液晶表示装置では、画像を表示する際、所定の駆動を行い続ける。これに対し、メモリ性液晶を備えた液晶表示装置が提案されている。メモリ性液晶は、所定の状態に遷移した後において、電圧が印加されなくてもその状態を維持することができる。従って、メモリ性液晶を備える液晶表示装置では、表示を書き換えるときに液晶に電圧を印加すればよい。電圧を印加して所望の表示を書き込んだ後は、電圧を印加しなくても書き込んだ表示を維持することができる。
【０００３】
メモリ性液晶としては、例えばカイラルネマチック液晶がある。一対の平行な基板間にカイラルネマチック液晶を挟持し、液晶のディレクタが一定周期毎に回転するねじれ構造のねじれの中心軸（ヘリカル軸と呼ぶ。）が基板に対して平均的に垂直方向になるように配列させると、特定の波長の光を反射する。この状態をプレナー状態という。また、複数の液晶ドメインのヘリカル軸が基板に対してランダムな方向を向くと、特定の波長の光を反射しなくなる。この状態をフォーカルコニック状態という。基板の背面に吸収層を設け、液晶をフォーカルコニック状態にすると吸収層の色の表示が得られる。画素をオン表示とする場合には、例えば、その画素の液晶をプレナー状態にし、画素をオフ表示とする場合には画素をフォーカルコニック状態にすればよい。
【０００４】
また、カイラルネマチック液晶等をプレナー状態やフォーカルコニック状態にするには、それぞれ所定の電圧を印加すればよい。プレナー状態やフォーカルコニック状態になった液晶は、次に電圧が印加されるまでその状態を維持する。従って、カイラルネマチック液晶等のメモリ性液晶を備えた液晶表示装置は、同一の表示を長時間維持する場合に用いられることが多い。
【０００５】
【発明が解決しようとする課題】
しかし、同一の画像を長時間表示し続けた後に、他の画像に書き換えると、それまで表示していた画像が残ってしまう。この現象は焼き付きと呼ばれている。液晶表示装置の基板に特定の配向膜を設けると、焼き付きを改善できる。しかし、配向膜は種類によって特性が異なり、全ての配向膜で焼き付きを改善できるわけではない。例えば、良好な反射率やコントラストを実現できる配向膜であっても、焼き付きを防止できない。そのため、配向膜の選定がしにくくなっていた。
【０００６】
また、焼き付きの改善方法として、所望の表示を続けた後に、全画素の液晶をプレナー状態やフォーカルコニック状態にして、その後再び所望の画像を書き込む方法がある。全画素の液晶をプレナー状態やフォーカルコニック状態にすることをリセットという。この方法により焼き付きを改善できるが、リセットまでの時間が長いと、リセットを行ったとしても焼き付きの改善が十分でない場合もある。また、リセット中は、画面全体は一色のみの表示になるので、所望の情報を表示できない。
【０００７】
そこで、本発明は、配向膜に関わりなく焼き付きを防止できるようにすることを目的とする。また、所望の情報を表示し続けながら、焼き付きを防止できるようにすることを目的とする。
【０００８】
【課題を解決するための手段】
本発明の態様１は、メモリ性液晶がオン表示状態またはオフ表示状態になることによって画像を表示する液晶表示装置の駆動方法であって、所望の画像を液晶表示装置に表示させてから第一の所定時間が経過したときに、オン表示状態であったメモリ性液晶をオフ表示状態に遷移させ、オフ表示状態であったメモリ性液晶をオン表示状態に遷移させることによって、オン表示とオフ表示とを反転させるステップと、オン表示とオフ表示とを反転させてから第二の所定時間が経過したときに、所望の画像を液晶表示装置に表示させるステップとを繰り返すことを特徴とする液晶表示装置の駆動方法を提供する。
【０００９】
本発明の態様２は、複数の走査電極と複数の信号電極との間にメモリ性液晶を挟持する液晶表示装置の駆動装置であって、各走査電極を順次選択しながら選択行の走査電極および非選択行の走査電極の電位を設定する走査電極ドライバと、選択行の各画素をオン表示とすべきかオフ表示とすべきかを示す画像データに基づいて各信号電極の電位を設定する信号電極ドライバと、走査電極ドライバおよび信号電極ドライバにそれぞれ各走査電極の電位と各信号電極の電位を設定させることにより液晶表示装置に画像を表示させる制御部とを備え、制御部は、画像データに基づく画像を表示させてから第一の所定の時間が経過したときに、その画像とはオン表示とオフ表示とが反転する反転画像を表示させ、反転画像を表示させてから第二の所定の時間が経過したときに、画像データに基づく画像を表示させることを繰り返すことを特徴とする液晶表示装置の駆動装置を提供する。
【００１０】
本発明の態様３は、信号電極ドライバが、反転画像を表示する場合に、オン表示とオフ表示とが反転するように画像データを変換し、変換後の画像データに基づいて各信号電極の電位を設定する液晶表示装置の駆動装置を提供する。
【００１１】
【発明の実施の形態】
以下、本発明の実施の形態を図面を参照して説明する。図１は、メモリ性液晶を備えた液晶表示装置の例を示す模式的断面図を示す。図１に示す液晶表示装置は、ガラス基板１Ａ、１Ｂ、電極２Ａ、２Ｂ、高分子薄膜３Ａ、３Ｂ、および液晶組成物（カイラルネマチック液晶）４が配置され、フォーカルコニック状態（オフ表示状態）とプレナー状態（オン表示状態）を安定に表示する液晶パネルである。また、液晶表示装置の背面側には黒色の光吸収体５が配置される。電極２Ａ、２Ｂはそれぞれ透明電極である。以下の説明では、電極２Ａが信号電極であり、電極２Ｂが走査電極であるものとする。なお、液晶組成物４と電極２Ａ、２Ｂとが直接接する構成であってもよい。
【００１２】
図２は、本発明による液晶表示装置の駆動装置の構成例を示すブロック図である。走査電極ドライバ１２および信号電極ドライバ１３は、例えばＩＣとして構成される。走査電極ドライバ１２は、コントローラ（制御部）１１に従い、走査電極を選択しながら全ての走査電極を走査し、選択行および非選択行の走査電極をそれぞれ所定の電位に設定する。信号電極ドライバ１３は、コントローラ１１に従い、選択する行の画像データに応じて、各信号電極の電位を設定する。電源装置１４は、走査電極ドライバ１２および信号電極ドライバ１３に必要な電圧を供給する。
【００１３】
画像データ記憶部（メモリ）１６は、液晶表示装置１５に表示させるべき画像のデータを保持する。そして、コントローラ１１に従って、これから選択される行の画像データを行電極ドライバ１３への出力データ領域にコピーする。信号電極ドライバ１３は、この出力データ領域から一行分の画像データを取り込む。１行分の画像データの各ビットは、各信号電極に対応する。各ビットは「０」または「１」の情報を示す。信号電極ドライバ１３は、例えば「０」を示すビットに対応する信号電極には、選択行の画素をプレナー状態にするための電位を設定する。「１」を示すビットに対応する信号電極には、選択行の画素をフォーカルコニック状態にするための電位を設定する。
【００１４】
また、信号電極ドライバ１３はＮＯＴ素子１７を備え、コントローラ１１に従って、画像データ記憶部１６からの画像データ（一行分の画像データ）をＮＯＴ素子１７によって変換する。コントローラ１１がＮＯＴ素子１７による変換を指示した場合には、信号電極ドライバ１３は、画像データの各ビットを変換し、変換後のデータに基づいて各信号電極の電位を設定する。従って、本来プレナー状態にするための電位が設定されるべき信号電極に、フォーカルコニック状態にするための電位を設定する。また、本来フォーカルコニック状態にするための電位が設定されるべき信号電極に、プレナー状態にするための電位を設定する。コントローラ１１がＮＯＴ素子１７による変換を指示しなかった場合には、信号電極ドライバ１３は、画像データ記憶部１６からの画像データをそのまま用いて、各信号電極の電位を設定する。
【００１５】
次に、コントローラ１１が各部を制御する際の動作について説明する。コントローラ１１は、画像データ記憶部１６に、信号電極ドライバ１３に対して出力すべき画像データを指示する。この指示に応じて、画像データ記憶部１６は画像データを出力データ領域にコピーし、信号電極ドライバ１３に取り込ませる。
【００１６】
また、コントローラ１１は、選択する走査電極の切り替えを示すＬＰ（ラッチパルス）と、ＮＯＴ素子１７による画像データの変換を指示する信号（以下、ＮＰ信号と記す。）とを信号電極ドライバ１３に出力する。信号電極ドライバ１３は、ＬＰが入力されると、ＮＰ信号がハイレベルであるならば、既に取り込んでいる画像データをＮＯＴ素子１７で変換し、変換後のデータに基づいて各信号電極の電位を設定する。ＮＰ信号がローレベルであるならば、既に取り込んでいる画像データをＮＯＴ素子１７で変換せずに、画像データに基づいて各信号電極の電位を設定する。なお、ここではＮＰ信号がハイレベルのときに画像データをＮＯＴ素子１７で変換する場合について説明するが、ＮＰ信号がローレベルのときに画像データを変換し、ハイレベルのときに変換を行わないようにしてもよい。
【００１７】
また、コントローラ１１は、走査電極ドライバ１２に、ＬＰと、１フレームの開始を示すＦＬＭ（ファーストラインマーカ）とを出力する。走査電極ドライバ１２は、ＦＬＭが入力されると、ＦＬＭに続いて入力されるＬＰに応じて選択する走査電極を順次切り替える。そして、選択行の走査電極および非選択行の走査電極にそれぞれ所定の電位を設定する。
【００１８】
図３は、コントローラ１１の信号出力タイミングおよび駆動波形の例を示す説明図である。コントローラ１１は、画像データ記憶部１６が保持する画像データに基づいて表示を行うために、ＦＬＭおよびＬＰを出力する。このとき、ＮＰ信号はローレベルに維持する。走査電極ドライバ１２は、ＦＬＭが入力された後、ＬＰが入力される度に選択する走査電極を順次切り替え、選択行および非選択行の電位を設定する。ここでは、選択する走査電極の電位をＶｒに設定し、非選択行の走査電極の電位を０Ｖに設定する場合を例に説明する。
【００１９】
信号電極ドライバ１３は、ＬＰが入力されると、選択行の画像データを用いて各信号電極の電位を設定する。ＮＰ信号はローレベルであるので、画像データをＮＯＴ素子１７で変換せずに、画像データに応じて各信号電極の電位を設定する。ここでは、液晶をフォーカルコニック状態にするための電位がＶｃであり、プレナー状態にするための電位が−Ｖｃであるとする。
【００２０】
なお、Ｖｒ、Ｖｃは、以下の条件を満たすように定める。Ｖｒ＋Ｖｃが、液晶をプレナー状態にするための電圧となり、Ｖｒ−Ｖｃが液晶をフォーカルコニック状態にするための電圧となるように各電位の値を定める。また、電圧Ｖｃ，−Ｖｃを液晶に印加しても、液晶の状態に影響を及ぼさない値としてＶｃ，−Ｖｃ定める。
【００２１】
選択行の各画素のうち、電圧Ｖｒ＋Ｖｃが印加された画素はプレナー状態に遷移し、電圧Ｖｒ−Ｖｃが印加された画素はフォーカルコニック状態に遷移する。非選択行の画素には電圧Ｖｃまたは−Ｖｃが印加されるが、液晶の状態は変化しない。
【００２２】
各走査電極を選択して走査を行うことによって、液晶表示装置１５に画像が表示される。図３では、走査を行っている期間を表示書き込み期間として示す。
走査完了後、走査電極ドライバ１２および信号電極ドライバ１３は、各電極の電位を０Ｖに設定する。図３では、この期間を通常表示期間として示す。メモリ性液晶は電圧が印加されなくても液晶の状態を維持するので、通常表示期間において液晶表示装置１５は画像を表示し続ける。なお、図３では、便宜上、表示書き込み期間よりも通常表示期間を短く示したが、実際には通常表示期間の方が長い。
【００２３】
通常表示期間の長さは、予め所定の時間に定める。例えば、通常表示期間を２４時間に定める。通常表示期間（第一の所定時間）が終了すると、コントローラ１１は、再びＦＬＭおよびＬＰを出力する。このとき、コントローラ１１は、ＮＰ信号をローレベルからハイレベルに切り替え、ハイレベルに維持する。
【００２４】
コントローラ１１がＦＬＭを出力することによって、再度表示書き込み期間が開始される。このときの走査電極ドライバ１２の動作は、先の表示書き込み期間における動作と同様である。すなわち、ＬＰが入力される度に選択行を切り替え、選択行の電位をＶｒに設定し、非選択行の電位を０Ｖに設定する。一方、信号電極ドライバ１３は、ＮＰ信号がハイレベルであるので、画像データをＮＯＴ素子１７で変換する。そして、ＬＰが入力されると変換後のデータに応じて各信号電極の電位を設定する。従って、先の表示書き込み期間において電位をＶｃとした信号電極の電位は−Ｖｃに設定し、先の表示書き込み期間において電位を−Ｖｃとした信号電極の電位はＶｃに設定する。
【００２５】
この結果、先の表示書き込み期間においてプレナー状態に遷移した画素はフォーカルコニック状態に遷移し、先の表示書き込み期間においてフォーカルコニック状態に遷移した画素はプレナー状態に遷移する。走査完了後、コントローラ１１は、ＮＰ信号をハイレベルからローレベルにする。また、走査電極ドライバ１２および信号電極ドライバ１３は、各電極の電位を０Ｖに設定する。このとき、通常表示期間の画像とはオン表示とオフ表示とが反転する反転画像が表示される。液晶に電圧を印加せずに反転画像を表示する期間を反転表示期間と記す。反転表示期間の長さは、予め所定の時間（例えば１０分）に定めておく。
【００２６】
反転表示期間（第二の所定時間）が経過すると、コントローラ１１は、再びＦＬＭ、ＬＰ、ＮＰ信号（ローレベル）を出力し、本来の画像（画像データに基づく画像）を表示するための駆動を行う。以降、同様に、画像データに基づく画像の表示を所定の時間（例えば２４時間）行い、表示を書き換えて、反転画像の表示を所定の時間（例えば１０分）行うことを繰り返す。
【００２７】
このような駆動方法によって液晶表示装置を駆動することによって、焼き付きを防止することができる。すなわち、画像データを変更し、新たな画像を表示する場合であっても、それまで表示していた画像を残さずに、良好な品位で新たな画像を表示することができる。また、リセットによって焼き付きを改善する従来の駆動方法では、リセットを行う間、所望の情報を表示できなかった。それに対し、本発明によれば、反転表示期間の間、本来の画像とはオン表示オフ表示とが反転するものの、所望の情報を表示し続けることができる。また、液晶表示装置に使用できる配向膜や絶縁膜の種類が増える。例えば、従来良好なコントラストを実現できるが焼き付きが生じやすかった配向膜等を使用できるようになる。その結果、液晶表示装置の性能を高めたり、生産コストの低減や歩留まりの向上を図ることができる。
【００２８】
選択した走査電極の電位が信号電極の電位より高くなるように駆動することを正極性駆動といい、選択した走査電極の電位が信号電極の電位より低くなるように駆動することを負極性駆動という。本実施の形態では、正極性駆動を行う場合を例に説明したが、負極性駆動を行ってもよい。また、正極性駆動と負極性駆動とを切り替えながら駆動してもよい。
【００２９】
次に、焼き付きの原因および本発明によって焼き付きが防止できる理由について説明する。焼き付きの原因は、以下のように推定される。図４は、フォーカルコニック状態またはプレナー状態のまま放置した画素を、フォーカルコニック状態の表示またはプレナー状態の表示に書き換えて観察したときの観察結果を示す。図４に示すように、フォーカルコニック状態で画素を放置し、再度フォーカルコニック状態の表示に書き換えて観察すると、放置前のフォーカルコニック状態に比べ反射率の低下が確認された。また、フォーカルコニック状態で画素を放置し、プレナー状態の表示に書き換えて観察すると、放置前のプレナー状態に比べ反射率が若干低下する傾向にあるが問題ないレベルであることが確認された。一方、プレナー状態で画素を放置し、フォーカルコニック状態の表示に書き換えて観察すると、放置前のフォーカルコニック状態より反射率の上昇が確認された。また、プレナー状態で画素を放置し、再度プレナー状態の表示に書き換えた場合には、有意な差は確認されなかった。
【００３０】
フォーカルコニック状態とした画素を１４４時間、５００時間放置し、各放置時間における反射率を計測した。その計測結果を図５に示す。計測結果は、フォーカルコニック状態の液晶に、フォーカルコニック状態にするための電圧（ここでは１６Ｖから１９Ｖ）を印加し、電圧印加後の反射率を計測することによって得た。また、放置時間が０時間である場合における反射率も同様に計測した。フォーカルコニック状態で放置すると、放置時間が長くなるにつれて再度フォーカルコニック状態にするための電圧を印加したときの反射率が低下することが図５からわかる。また、プレナー状態とした画素を放置し、その画素にフォーカルコニック状態にするための電圧（ここでは１６Ｖから１９Ｖ）を印加した場合の反射率も同様に計測した。この計測結果を図６に示す。放置時間は、図５に示す場合と同様に０時間、１４４時間、５００時間とした。プレナー状態で放置すると、放置時間が長くなるにつれてフォーカルコニック状態にするための電圧を印加したときの反射率が上昇することが図６からわかる。
【００３１】
なお、図５，６では反射率を示した。この反射率は、基準となる反射率（１００％となる反射率）を標準白色板を用いて定めた場合における反射率である。標準白色板に４５°の入射角で光を入射させると、標準白色板の正面で反射光の輝度が測定できる。この輝度が得られる場合を反射率１００％として定めている。図５，６に示す反射率は、液晶パネルに２０°の入射角で光を入射させ、液晶パネルの正面で得られる輝度に基づいて測定したものである。
【００３２】
図４〜６に示すように、液晶を放置すると新たに画像を書き込んだときの反射率が変化し、しかもフォーカルコニック状態で放置する場合と、プレナー状態で放置する場合とで反射率の変化の仕方が異なる。この結果、焼き付きが生じると考えられる。特に、新たに画像を書き込むときにフォーカルコニック状態とする領域では、それまでフォーカルコニック状態で放置されていた画素では反射率が低下し、それまでプレナー状態で放置されていた画素では反射率が上昇する。そのため、フォーカルコニック状態として観察される領域では、以前の状態による反射率の差（色差も含む）が大きくなり、それまで表示していた画像の影響を強く受けてしまう。
【００３３】
本発明では、通常表示期間の間、液晶の状態を一定のまま放置する。しかし、その後、プレナー状態であった液晶をフォーカルコニック状態に遷移させ、フォーカルコニック状態であった液晶をプレナー状態に遷移させ、反転表示期間の間、その状態を維持する。従って、通常表示期間において反射率への影響が生じたとしても、反転表示期間においてその影響を排除して元の状態に回復させることができる。例えば、通常表示期間においてフォーカルコニック状態のまま放置された液晶は、電圧印加後の反射率が低下するように変化する。しかし、反転表示期間の間プレナー状態として維持されるので、電圧印加後の反射率が上昇し、元の状態に回復するように変化する。従って、新たな画像を書き込んでも、書き込み後の反射率は、それまでの液晶の状態によってあまり変化せず、観察者に焼き付きが認識されないようになる。
【００３４】
【実施例】
［例１］以下に示すように、液晶表示装置（液晶パネル）を作成した。ＩＴＯ（Ｉｎｄｉｕｍ　Ｔｉｎ　Ｏｘｉｄｅ）が設けられた一対の透明基板に、ＳｉＯ２が５０％、ＴｉＯ２が５０％である絶縁膜をフレキソ印刷法で成膜し、３０００ｍＪのＵＶ照射を行い、３００℃で焼成した。また、一対の透明基板のうち、観察者側の透明基板にのみフレキソ印刷法で配向膜を成膜し、２５０℃で焼成した。この配向膜にはラビング処理を施さなかった。一対の透明基板間のセルギャップが４μｍになるようにして液晶パネルを作成し、カイラルネマチック液晶を注入した。また、液晶パネルは、配向膜として日産化学株式会社のＳＥ−３８４０を用いた場合と、日産化学株式会社のＲＮ−１２８６を用いた場合の二種類作成した。
【００３５】
作成した液晶パネルに図２に例示する駆動装置を接続し、本発明の駆動波形で画像を表示した。画像は、画面の半分がフォーカルコニック状態、残りの半分がプレナー状態になるように定めた。また、通常表示期間の長さを２４時間とし、反転表示期間の長さを１０分間と定めた。例１おける表示画面の変化の様子を図７に示す。
【００３６】
また、焼き付きは、二種類の駆動電圧を画面全面に印加して確認した。第一の駆動電圧は、最大のコントラストが得られるときの電位Ｖｒ、±Ｖｃによって発生させた。この駆動電圧（Ｖｒ＋Ｖｃ、Ｖｒ−Ｖｃの組み合わせ）をＶｃｒｍａｘと記す。第二の駆動電圧は、フォーカルコニック状態で最も反射率が低くなるときの反射率を０とし、プレナー状態で最も反射率が高くなるときの反射率を１００としたときに、電圧Ｖｒ＋Ｖｃによって反射率５０の状態となるような電位Ｖｒ、±Ｖｃによって発生させた。ここに示す反射率５０は、標準白色板を用いて定めた反射率１００％を基準とするものではなく、フォーカルコニック状態で最も反射率が低くなる場合と、プレナー状態で最も反射率が高くなる場合とを基準として定めた値である。この駆動電圧（Ｖｒ＋Ｖｃ、Ｖｒ−Ｖｃの組み合わせ）をＶ５０と記す。なお、Ｖ５０を定めるための反射率は、液晶を１００℃環境下に１時間おいてアイソトロピック状態にした後、徐冷し、長時間放置せずに計測した。また、２０°の入射角で入射する光の反射光を正面で測定することによって反射率を測定している。
【００３７】
本発明の駆動方法で表示を行い、１４４時間経過時と５０４時間経過時における焼き付きを評価した。二種類の表示パネルのいずれについても、１４４時間経過時、５０４時間経過時に焼き付きは確認されなかった。また、駆動電圧としては、ＶｃｒｍａｘとＶ５０を採用したが、いずれの場合も焼き付きは確認されなかった。
【００３８】
［比較例１］例１と同じ二種類の液晶パネルを用いて、画面の半分がフォーカルコニック状態、残りの半分がプレナー状態になるような画像を表示させ、その後画面の状態を変化させなかった。なお、例１と同様に二種類の駆動電圧Ｖｃｒｍａｘ、Ｖ５０で、それぞれ画像を表示させた。比較例１における表示画面の状態の様子を図８に示す。最初に画像を書き込んでから１４４時間経過時と５０４時間経過時における焼き付きを評価した。配向膜の種類や駆動電圧の種類によっては、焼き付きが確認される場合があった。
［比較例２］例１と同じ二種類の液晶パネルを用いて、画面の半分がフォーカルコニック状態、残りの半分がプレナー状態になるような画像を表示させた。そして、画像を書き込んでから２４時間毎に画面全体をプレナー状態にリセットし、さらに画面全体をフォーカルコニック状態にリセットし、再び最初の画像を書き込むことを繰り返した。なお、例１と同様に二種類の駆動電圧Ｖｃｒｍａｘ、Ｖ５０で、それぞれ画像を表示させた。比較例２における表示画面の変化の様子を図９に示す。最初に画像を表示させてから１４４時間経過時と５０４時間経過時における焼き付きを評価した。配向膜の種類や駆動電圧の種類によっては、焼き付きが確認される場合があった。
【００３９】
例１および比較例１，２における焼き付きの評価結果を図１０に示す。図１０において、「○」は焼き付きが生じなかったことを示す。「△」は表示品位として許容しうる薄い焼き付きが生じたことを示す。「×」は表示品位として許容できない焼き付きが生じたことを示す。図１０から、本発明の駆動方法で画像を表示すれば、表示を書き換えたときに焼き付きを防止できることがわかる。
【００４０】
【発明の効果】
本発明によれば、所望の画像を液晶表示装置に表示させてから第一の所定時間が経過したときに、オン表示とオフ表示とを反転させ、反転させてから第二の所定時間が経過したときに、所望の画像を液晶表示装置に表示させることを繰り返す。従って、第一の所定時間に生じた影響を第二の所定時間で排除して、焼き付きを防止することができる。また、第二の所定期間においても所望の情報は表示されるので情報を表示し続けることができる。さらに、配向膜の種類によらずに焼き付きを防止することができるので、配向膜の選択しやすくなる。そして、その結果、液晶表示装置の性能を高めたり、生産コストの低減や歩留まりの向上を図ることができる。
【図面の簡単な説明】
【図１】液晶表示装置の例を示す模式的断面図。
【図２】本発明による液晶表示装置の駆動装置の構成例を示すブロック図。
【図３】コントローラの信号出力タイミングおよび駆動波形の例を示す説明図。
【図４】放置した液晶を所定の状態に遷移させたときの反射率の状態を示す説明図。
【図５】フォーカルコニック状態で放置した画素の反射率の変化を示すグラフ。
【図６】プレナー状態で放置した画素の反射率の変化を示すグラフ。
【図７】本発明による液晶表示装置の駆動方法における表示画面の変化の例を示す説明図。
【図８】書き込んだ画像を持続させる場合の表示画面の様子を示す説明図。
【図９】リセットを行う場合の表示画面の変化の例を示す説明図。
【図１０】実施例における評価結果を示す説明図。
【符号の説明】
１Ａ、１Ｂ　ガラス基板
２Ａ、２Ｂ　電極
４　液晶組成物
１１　コントローラ
１２　走査電極ドライバ
１３　信号電極ドライバ
１４　電源装置
１５　液晶表示装置（液晶パネル）
１６　画像データ記憶部
１７　ＮＯＴ素子
【図１】
2004004200.tif 000003
【図２】
2004004200.tif 000004
【図３】
2004004200.tif 000005
【図４】
2004004200.tif 000006
【図５】
2004004200.tif 000007
【図６】
2004004200.tif 000008
【図７】
2004004200.tif 000009
【図８】
2004004200.tif 000010
【図９】
2004004200.tif 000011
【図１０】
2004004200.tif 000012